(57)【要約】【課題】小型化を図りつつ、操作性を向上する上で有利な電子機器および撮像装置を提供する。【解決手段】開閉蓋２７が外部に臨む外面の一部に欠部２７２０が形成され、蓋体１００は、欠部２７２０を閉塞した閉塞位置と欠部２７２０を開放した開放位置との間で揺動可能に開閉蓋２７に取着されている。蓋体１００の内面に、蓋体１００の開放位置でメモリカード４の装脱が行われるメモリカード用収容部１１０が設けられている。メモリカード用収容部１１０は蓋体１００の内面、支持壁１１２、左右の側壁１１４で画成された収容空間１１５と、収容空間１１５にメモリカード４が挿入されることでメモリカード４の先端の接片と電気的に接続するカードコネクタ１１６と、メモリカード４の保持機構とを含んで構成されている。【選択図】図１９
2007158753.tif 000002
【特許請求の範囲】
【請求項１】
外装を構成するケースと、
前記ケースに設けられディスク状記録媒体が装脱可能に収容される収容部と、
前記収容部に収容された前記ディスク状記録媒体に対してデータの記録および／または再生を行う第１の記録再生部と、
前記ケースに設けられ前記収容部を閉塞した閉塞位置と、前記収容部を開放した開放位置との間で揺動可能に設けられた開閉蓋とを備える電子機器であって、
前記開閉蓋が外部に臨む外面の一部に欠部が形成され、
前記欠部を閉塞する蓋体が設けられ、
前記蓋体は、前記欠部を閉塞した閉塞位置と前記欠部を開放した開放位置との間で揺動可能に前記開閉蓋に取着され、
前記蓋体の内面に、前記蓋体の開放位置でメモリカードの装脱が行われるメモリカード用収容部が設けられ、
前記メモリカード用収容部に収容されたメモリカードに対してデータの記録および／または再生を行う第２の記録再生部が設けられている、
ことを特徴とする電子機器。
【請求項２】
前記開閉蓋は支軸を支点として揺動し、
前記蓋体は前記支軸により揺動可能に支持され前記支軸を支点として前記閉塞位置と前記開放位置との間で揺動する、
ことを特徴とする請求項１記載の電子機器。
【請求項３】
前記開閉蓋は、外部に臨む外板と、前記外板の内側で前記収容部に臨む内板とを有し、前記メモリカード用収容部は、前記蓋体の閉塞位置で前記蓋体と前記内板との間に位置していることを特徴とする請求項６記載の撮像装置。
【請求項４】
前記蓋体が前記欠部を閉塞する閉塞位置に位置した状態で、前記蓋体が外部に臨む外面は、前記開閉蓋が外部に臨む外面と連続状に延在するように設けられていることを特徴とする請求項１記載の電子機器。
【請求項５】
前記収容部は、前記ケースに形成された枠状の外縁壁の内側に形成され、
前記開閉蓋は、最も外側に位置し該開閉蓋の輪郭を縁取る外周壁を有し、
前記開閉蓋の閉塞位置で、前記開閉蓋の外周壁先端が前記外縁壁の内側に挿入される、
ことを特徴とする請求項１記載の電子機器。
【請求項６】
外装を構成するケースと、
前記ケースの内部に該ケースの前面に臨むように設けられた撮影光学系と、
前記ケースの内部に組み込まれ前記撮影光学系によって導かれた被写体像を撮像する撮像素子と、
前記撮像素子で撮像された画像データをディスク状記録媒体に記録させる記録部と、
前記ケースの右側部あるいは左側部に設けられ前記ディスク状記録媒体が装脱可能に収容される収容部と、
前記ケースに設けられ前記収容部を開閉する開閉蓋とを備える撮像装置であって、
前記開閉蓋が外部に臨む外面の一部に欠部が形成され、
前記欠部を閉塞する蓋体が設けられ、
前記蓋体は、前記欠部を閉塞した閉塞位置と前記欠部を開放した開放位置との間で揺動可能に前記開閉蓋に取着され、
前記蓋体の内面に、前記蓋体の開放位置でメモリカードの装脱が行われるメモリカード用収容部が設けられ、
前記メモリカード用収容部に収容されたメモリカードに対してデータの記録および／または再生を行う記録再生部が設けられている、
ことを特徴とする撮像装置。
【請求項７】
前記開閉蓋は支軸を支点として揺動し、
前記蓋体は前記支軸により揺動可能に支持され前記支軸を支点として前記閉塞位置と前記開放位置との間で揺動する、
ことを特徴とする請求項６記載の撮像装置。
【請求項８】
前記支軸は前記ケースの下端に位置して前後方向に延在していることを特徴とする請求項７記載の撮像装置。
【請求項９】
前記開閉蓋は、外部に臨む外板と、前記外板の内側で前記収容部に臨む内板とを有し、前記メモリカード用収容部は、前記蓋体の閉塞位置で前記蓋体と前記内板との間に位置していることを特徴とする請求項６記載の撮像装置。
【請求項１０】
前記蓋体が前記欠部を閉塞する閉塞位置に位置した状態で、前記蓋体が外部に臨む外面は、前記開閉蓋が外部に臨む外面と連続状に延在するように設けられていることを特徴とする請求項６記載の撮像装置。
【請求項１１】
前記収容部は、前記ケースに形成された枠状の外縁壁の内側に形成され、
前記開閉蓋は、最も外側に位置し該開閉蓋の輪郭を縁取る外周壁を有し、
前記開閉蓋の閉塞位置で、前記開閉蓋の外周壁先端が前記外縁壁の内側に挿入される、
ことを特徴とする請求項６記載の撮像装置。
【請求項１２】
前記開閉蓋が外部に臨む外面は、外方に凸の湾曲面で形成されていることを特徴とする請求項６記載の撮像装置。
【請求項１３】
前記ケースは、左右方向の幅よりも大きな寸法の前後方向の長さおよび上下方向の高さを有していることを特徴とする請求項６記載の撮像装置。
【発明の詳細な説明】
【技術分野】
【０００１】
本発明は電子機器および撮像装置に関する。
【背景技術】
【０００２】
近年、画像データや音声データを記録および／または再生する記録媒体として光ディスクなどのディスク状記録媒体を用いる電子機器が提供されている。
このような電子機器として、前記ディスク状記録媒体とは別に、画像データや音声データを記録および／または再生するメモリカード（カード状記録媒体）を使用できるようにしたものが提供されており、このような電子機器では、外装を構成するケースに、メモリカードが装脱可能に収容されるメモリカード用収容部を設けている（特許文献１参照）。
上記電子機器では、メモリカード用収容部を、ケースの後面に電源スイッチや撮影スタート／ストップボタンなど各種の操作部材と共に配置している。
【特許文献１】特開２０００-３２２５１８号公報
【発明の開示】
【発明が解決しようとする課題】
【０００３】
したがって、このような電子機器では、ケースの後面に各種の操作部材とメモリカード用収容部との双方を配置しなくてはならないため、ケースの小型化を図る上で限界があり、また、限られたスペースに各種の操作部材とメモリカード用収容部の双方が配置されていることから操作部材の操作およびメモリカード用操作部に対するメモリカードの装脱操作が行いにくくなる欠点があった。
特に、電子機器や撮像装置で、ケースが、左右方向の幅よりも大きな寸法の前後方向の長さおよび上下方向の高さを有する縦型の場合、ケースの後面の面積は上下に縦長で小さくなるため、それら操作部材の操作およびメモリカード用操作部に対するメモリカードの装脱操作がより行いにくくなる。
本発明はこのような事情に鑑みなされたものであり、その目的は、小型化を図りつつ、操作性を向上する上で有利な電子機器および撮像装置を提供することにある。
【課題を解決するための手段】
【０００４】
上述の目的を達成するため、本発明は、外装を構成するケースと、前記ケースに設けられディスク状記録媒体が装脱可能に収容される収容部と、前記収容部に収容された前記ディスク状記録媒体に対してデータの記録および／または再生を行う第１の記録再生部と、前記ケースに設けられ前記収容部を閉塞した閉塞位置と、前記収容部を開放した開放位置との間で揺動可能に設けられた開閉蓋とを備える電子機器であって、前記開閉蓋が外部に臨む外面の一部に欠部が形成され、前記欠部を閉塞する蓋体が設けられ、前記蓋体は、前記欠部を閉塞した閉塞位置と前記欠部を開放した開放位置との間で揺動可能に前記開閉蓋に取着され、前記蓋体の内面に、前記蓋体の開放位置でメモリカードの装脱が行われるメモリカード用収容部が設けられ、前記メモリカード用収容部に収容されたメモリカードに対してデータの記録および／または再生を行う第２の記録再生部が設けられていることを特徴とする。
また、本発明は、外装を構成するケースと、前記ケースの内部に該ケースの前面に臨むように設けられた撮影光学系と、前記ケースの内部に組み込まれ前記撮影光学系によって導かれた被写体像を撮像する撮像素子と、前記撮像素子で撮像された画像データをディスク状記録媒体に記録させる記録部と、前記ケースの右側部あるいは左側部に設けられ前記ディスク状記録媒体が装脱可能に収容される収容部と、前記ケースに設けられ前記収容部を開閉する開閉蓋とを備える撮像装置であって、前記開閉蓋が外部に臨む外面の一部に欠部が形成され、前記欠部を閉塞する蓋体が設けられ、前記蓋体は、前記欠部を閉塞した閉塞位置と前記欠部を開放した開放位置との間で揺動可能に前記開閉蓋に取着され、前記蓋体の内面に、前記蓋体の開放位置でメモリカードの装脱が行われるメモリカード用収容部が設けられ、前記メモリカード用収容部に収容されたメモリカードに対してデータの記録および／または再生を行う記録再生部が設けられていることを特徴とする。
【発明の効果】
【０００５】
そのため、本発明によれば、開閉蓋に開閉可能に蓋体を設けることで、メモリカード用収容部をデッドスペースである開閉蓋の内側に設けるようにしたので、電子機器または撮像装置の小型化を図る上で有利となる。
また、ディスク状記録媒体の収容部を開閉する開閉蓋の外面には何ら操作部材が配置されていないため、メモリカード用収容部に対するメモリカードの装脱操作を簡単に行なう上で有利となる。
【発明を実施するための最良の形態】
【０００６】
（第１の実施の形態）
次に本発明の実施の形態について図面を参照して説明する。
図１乃至図６は第１の実施の形態の撮像装置１０の構成を示す斜視図、図７は撮像装置１０の右側面図、図１０は撮像装置１０の制御系の構成を示すブロック図である。
図１乃至図６に示すように、本実施の形態では電子機器は撮像装置１０であり、撮像装置１０がビデオカメラである場合を例にとって説明する。
撮像装置１０は、外装を構成し左右方向の幅よりも大きな寸法の前後方向の長さおよび上下方向の高さを有するケース１２を有している。なお、本明細書において左右は、撮像装置１０を後方から見た状態でいうものとし、また、光学系の光軸方向で被写体側を前方といい、撮像素子側を後方という。
ケース１２の上部の前部には、撮影光学系１４が組み込まれた鏡筒１６が前面から前方に臨んで設けられている。撮影光学系１４はズームレンズを有し、ズーム率が連続的に可変できるように構成されている。
ケース１２の内部には、撮影光学系１４によって導かれた被写体像を撮像する撮像素子１８（図１０参照）などが収容されている。
図４に示すように、ケース１２の上部の後部には撮像素子１８によって撮像された被写体像を視認するためのビューファインダー（電子式ファインダー）２０が後面から後方に臨んで設けられている。ビューファインダー２０は、ケース１２内部に設けられた例えば液晶表示装置からなるディスプレイパネル２２（図１０参照）を有し、そのディスプレイパネル２２に表示される画像を視認するように構成されている。
図１、図６に示すように、ケース１２の左側部には、撮像素子１８によって撮像された被写体像などを表示するための例えば液晶表示装置からなるディスプレイパネル２４が開閉可能に設けられ、このディスプレイパネル２４は閉じられた際に収容凹部１２０２に収容される。なお、収容凹部１２０２の底壁にはスピーカ５２（図１０参照）が設けられている。
【０００７】
図３、図４に示すように、ケース１２の右側部には、画像データや音声データを記録するディスク状記録媒体２（図１０参照）が装脱可能に装着される収容部２６が設けられている。
図３に示すように、収容部２６は、ディスク状記録媒体２を収容する収容空間２６０２と、収容空間２６０２に設けられ装着部を構成するターンテーブル２６０６と、記録再生機構６０と、この収容空間２６０２を閉塞する開閉蓋２７とを有し、開閉蓋２７の外面によってケース１２の右側面が形成されている。
開閉蓋２７は下端のヒンジ２６５０、支軸２７３０（図５、図１２参照）を支点（揺動軸心）としてその上端がケース１２の外側方に揺動可能に設けられており、開閉蓋２７は、図２に示す閉塞位置と図３に示す開放位置とにわたって開閉され、開放位置においてディスク状記録媒体２の装脱がなされる。
また、開閉蓋２７は、後述するロック機構８６により閉塞位置でロックされ、また、ロックが解除されることで閉塞位置から開放位置への揺動が許容されるように構成されている。
【０００８】
図１１は撮像装置１０の断面図である。
図１１に示すように、収容部２６（収容空間２６０２）は、ケース１２に形成された枠状の外縁壁１２５０の内側に形成され、開閉蓋２７は、最も外側に位置し該開閉蓋２７の輪郭を縁取る外周壁２７５０を有し、蓋体１００の閉塞位置で、開閉蓋２７の外周壁２７５０先端が外縁壁１２５０の内側に挿入されるように形成されている。
これにより、次のような効果が奏されている。
一般に、開閉蓋２７のロック機構は、開閉蓋２７の閉塞方向の限界位置に到達したのち、開放方向に戻ることでロック状態が形成されるように構成されており、ロック状態において、開閉蓋２７とケース１２との間に隙間が発生する。この隙間の幅は開閉蓋２７の開閉方向となっており、前方や上方から見て目立ち、美観を損ねている。このような場合、上述のように構成することで、隙間が存在していても外縁壁１２５０により隠され、美観を向上する上で有利となる。また、外縁壁１２５０により隙間が隠されていることから、塵埃の開閉蓋２７の内部への侵入を阻止する上でも有利となる。
撮像装置１０を右手で把持した際、右手により開閉蓋２７の上部を把持すると、ヒンジ２６５０が下部にあるため、開閉蓋２７の上部がぐらつき、撮像装置１０の把持状態が不安定となる。この場合、上述のように構成することで、右手でケース１２を把持した際に、開閉蓋２７を把持することなくケース１２のみを把持でき、撮像装置１０を安定した状態で把持することが可能となる。
【０００９】
図３に示すように、ターンテーブル２６０６は収容空間２６０２の底壁に設けられ、スピンドルモータ２６０８(図１１参照)で回転され、ディスク状記録媒体２の中心孔がターンテーブル２６０６に係合保持されることでディスク状記録媒体２がターンテーブル２６０６と一体的に回転駆動されるように構成されている。
また、図２乃至図５に示すように、ケース１２の右側面には、前後方向に延在するグリップベルト２８が設けられており、グリップベルト２８は、開閉蓋２７の外側方で前後方向に延在し開閉蓋２７の外面との間に右手のひらが挿入されるように設けられている。
また、図４に示すように、ケース１２の上面後部には、ビデオライトやフラッシュライトなどのアクセサリーを着脱可能に装着するホットシュー３０が設けられている。
また、図１に示すように、ケース１２の前面下部には、音声を収音するためのマイクロフォン４６（図１０参照）が設けられている。
【００１０】
図１乃至図４、図６に示すように、撮像装置１０には、撮影にまつわる種々の機能を実行するための操作部材として、電源用操作部材３２、静止画撮影用操作部材３４、ズーム用操作部材３６、モード切り換え用操作部材３８、動画撮影用操作部材４０、開閉蓋用操作部材８２などが設けられている。
電源用操作部材３２、静止画撮影用操作部材３４、ズーム用操作部材３６、モード切り換え用操作部材３８、開閉蓋用操作部材８２は、ケース１２の上面に設けられている。
動画撮影用操作部材４０は、ケース１２の後面の上下方向の中間で右側面寄りの箇所に設けられている。
電源用操作部材３２は、撮像装置１０の電源のオン、オフを行うためのものである。
静止画撮影用操作部材３４は、撮像素子１８による静止画の撮影を行うためのものである。
ズーム用操作部材３６は、撮影光学系１４のズーム率を変化させるためのものである。
モード切り換え用操作部材３８は、静止画撮影モードと動画撮影モードとを切り換えるためのものである。
動画撮影用操作部材４０は、動画撮影のスタートとストップを行うためのものである。
開閉蓋用操作部材８２は、開閉蓋２７を開放するためのものである。
【００１１】
図１０に示すように、撮像装置１０には、映像信号用増幅回路４２、画像データ処理部４４、マイクロフォン４６、マイクロフォン用増幅回路４８、音声データ処理回路５０、スピーカ５２、出力用増幅回路５４、記録再生回路５６、コントロール回路５８、記録再生機構６０、ドライブ回路６２、インターフェース回路６４、メモリカード用スロット６６、ズーム駆動部６８などが設けられている。
また、撮像装置１０には、電源スイッチ７０、静止画撮影用スイッチ７２、ズーム用スイッチ７４、モード切り換え用スイッチ７６、動画撮影用スイッチ７８、開閉蓋用スイッチ８４が設けられている。
撮像素子１８で生成された撮像信号は映像信号用増幅回路４２で増幅され、画像データ処理部４４に供給される。
画像データ処理部４４は、撮像信号に所定の信号処理を行うことで、動画データおよび静止画データを生成し、記録再生回路５６に供給される。
マイクロフォン４６で収音された音声信号はマイクロフォン用増幅回路４８で増幅され、音声データ処理回路５０によって所定の信号処理がなされ音声データとして記録再生回路５６に供給される。
【００１２】
記録再生回路５６は、画像データ処理部４４から供給された動画データおよび静止画データや音声データ処理回路５０から供給された音声データをコントロール回路５８の制御にしたがって収容部２６の記録再生機構６０に供給する。
記録再生機構６０は動画データおよび静止画データや音声データを記録媒体としてのディスク状記録媒体２に記録するものである。記録再生機構６０は、例えば、従来公知の光ピックアップによってディスク状記録媒体２の記録層に光ビームを照射することでデータの記録を行い、また、光ピックアップによってディスク状記録媒体２の記録層に照射した光ビームの反射光ビームを検出することでデータの再生を行うものである。本実施の形態では、記録再生機構６０によって特許請求の範囲の第１の記録再生部および記録部が構成されている。
なお、本実施の形態では、ディスク状記録媒体２としてＤＶＤ−Ｒなどの光ディスクを用いるが、ディスク状記録媒体としては、ＤＶＤ−Ｒ以外の光ディスク、あるいは、光磁気ディスクであってもよいことは無論である。
また、記録再生回路５６は、画像データ処理部４４から供給された動画データおよび静止画データや音声データ処理回路５０から供給された音声データをインターフェース回路６４を介して後述するメモリカード用収容部１１０に装着された記録媒体としてのメモリカード４に記録する。本実施の形態では、記録再生回路５６およびインターフェース回路６４によって特許請求の範囲の第２の記録再生部および記録再生部が構成されている。
また、記録再生回路５６は、画像データ処理部４４から供給された動画データおよび静止画データを、ドライブ回路６２を介してディスプレイパネル２２、２４に供給して画像の表示を行わせる。
また、記録再生回路５６は、インターフェース回路６４を介してメモリカード４から供給される動画データおよび静止画データを、ドライブ回路６２を介してディスプレイパネル２２、２４に供給して画像の表示を行わせるとともに、インターフェース回路６４を介してメモリカード４から供給される音声データを出力用増幅回路５４を介してスピーカ５２に供給して音声の出力を行わせる。
また、記録再生回路５６は、記録再生機構６０によりディスク状記録媒体２から再生された動画データおよび静止画データを、ドライブ回路６２を介してディスプレイパネル２２、２４に供給して画像の表示を行わせるとともに、記録再生機構６０によりディスク状記録媒体２から再生された音声データを出力用増幅回路５４を介してスピーカ５２に供給して音声の出力を行わせる。
【００１３】
電源スイッチ７０は電源用操作部材３２の操作によって動作されるものであり、コントロール回路５８は、電源スイッチ７０の動作に基づいて撮像装置１０の電源のオン、オフを行う。
静止画撮影用スイッチ７２は静止画撮影用部材３４の操作によって動作されるものであり、コントロール回路５８は、静止画撮影用スイッチ７２の動作に基づいて画像データ処理部４４および記録再生回路５６に指令を与えることにより、画像データ処理部４４から画像データ処理部４４に供給される静止画データを記録再生回路５６から記録再生機構６０に供給することで静止画データをディスク状記録媒体２に記録させる。言い換えると、静止画撮影用部材３４は、いわゆるシャッタボタンとして機能している。
ズーム用スイッチ７４はズーム用操作部材３６の操作によって動作されるものであり、コントロール回路５８は、ズーム用スイッチ７４の動作に基づいてズーム駆動部６８に指令を与えることにより、撮影光学系１４のズームレンズを移動させることにより、撮影光学系１４のズーム率を変化させる。
モード切り換え用スイッチ７６はモード切り換え用操作部材３８の操作によって動作されるものであり、コントロール回路５８はモード切り換え用スイッチ７６の動作に基づいて画像データ処理部４４に指令を与えることにより、画像データ処理部４４によって動画データを生成させる動画撮影モードと、画像データ処理部４４によって静止画データを生成させる静止画撮影モードとを切り換える。
なお、動画撮影モードでは、画像データ処理部４４で生成された動画データが記録再生回路５６を介してディスク状記録媒体２またはメモリカード４に記録され、静止画撮影モードでは、画像データ処理部４４で生成された静止画データが記録再生回路５６を介してディスク状記録媒体２またはメモリカード４に記録される。
動画撮影用スイッチ７８は動画撮影用操作部材４０の操作によって動作されるものであり、コントロール回路５８は、動画撮影用スイッチ７８の動作に基づいて動画データの記録の開始、記録の停止を行わせる。すなわち、コントロール回路５８は、動画撮影用スイッチ７８の動作に基づいて画像データ処理部４４および記録再生回路５６に指令を与えることにより、画像データ処理部４４から画像データ処理部４４に供給される動画データを記録再生回路５６から記録再生機構６０に供給することで動画データをディスク状記録媒体２に記録させる動作を開始させ、あるいはその動作を停止させる。言い換えると、動画撮影用操作部材４０は、いわゆる撮影スタート／ストップの操作部材として機能している。
開閉蓋用スイッチ８４は開閉蓋用操作部材８２の操作によって動作されるものであり、コントロール回路５８は、開閉蓋用スイッチ８４の動作に基づいて後述するアクチュエータ９０に電流を供給することでアクチュエータ９０を動作させ、これにより開閉蓋２７のロック機構８６を駆動する。すなわち、コントロール回路５８は、開閉蓋用スイッチ８４の動作に基づいてロック機構８６による開閉蓋２７のロックとロックの解除を行い、ディスク状記録媒体２に対する記録動作中に開閉蓋２７が不用意に開放されて記録動作が途中で停止しデータが破損してしまうことが防止されている。なお、本実施の形態では開閉蓋用操作部材８２は前後方向にスライド移動するように構成されている。
【００１４】
本実施の形態では、図４に示すように、ケース１２の前面を前方に向け、右手の手のひらと、親指を除く右手の指でケース１２の右側部を掴んだ状態で、ケース１２の上面の後部の右側部で右手の人差し指で操作できる範囲の箇所に、撮影にまつわる互いに異なった機能を実行するための３つの操作部材である電源用操作部材３２と、静止画撮影用操作部材３４と、ズーム用操作部材３６が前後方向に直線状に並べられて配置されている。
本実施の形態では、図４に示すように、ケース１２の右側面に前後方向に延在するグリップベルト２８が設けられており、ケース１２を右手のひらと、親指を除く右手の指でケース１２の右側部を掴む際に、親指を除く右手の指は、ケース１２の右側面とグリップベルト２８との間に挿通される。
また、本実施の形態では、図４、図６に示すように、電源用操作部材３２と静止画撮影用操作部材３４とズーム用操作部材３６は、収容部２６の後方かつ上方箇所に位置している。
また、本実施の形態では、図４、図６に示すように、電源用操作部材３２と静止画撮影用操作部材３４とズーム用操作部材３６とが配置された箇所の左側方にビューファインダー２０がケース１２の後面に臨むように位置している。
また、本実施の形態では、図４、図６に示すように、電源用操作部材３２と静止画撮影用操作部材３４とズーム用操作部材３６のうち、電源用操作部材３２は最も後方の箇所に配置され、ズーム用操作部材３６は最も前方の箇所に配置されている。
【００１５】
図４に示すように、静止画撮影用操作部材３４は押圧用のボタンで構成され、静止画撮影用操作部材３４を押圧操作することで、静止画データがディスク状記録媒体２またはメモリカード４に記録される。
ズーム用操作部材３６は揺動レバーで構成され、前後方向を通る仮想軸の周りに揺動可能に設けられ、常時中立位置に付勢され、ケース１２の幅方向の中心方向に揺動させることでズーム率が減少されるように（広角側にされるように）、外側方に揺動させることでズーム率が増加されるように（望遠側にされるように）構成されている。
本実施の形態では、ズーム用操作部材３６の前後に左右方向に延在する仕切り壁１２１０がそれぞれ設けられ、ズーム用操作部材３６をより確実に操作できるようにしている。
【００１６】
電源用操作部材３２とモード切り換え用操作部材３８は、前後方向を通る仮想軸の周りに揺動可能に設けられた円盤状の単一の揺動部材８０で構成されている。
揺動部材８０の後端面は、前後方向においてケース１２の後端面とほぼ同じ位置に位置しケース１２の後方に露出している。
揺動部材８０を第１の揺動位置と第２の揺動位置との間で揺動操作することで電源のオン、オフがなされ、詳細には第１の揺動位置で電源がオフされ、第２の揺動位置で電源がオンされる。
また、揺動部材８０を第２の揺動位置と、第２の揺動位置を挟んで第１の揺動位置と反対に位置する第３の揺動位置との間で揺動操作する毎に静止画撮影モードと動画撮影モードとに交互に切り換えられ、揺動部材８０は第２の揺動位置に位置するように常時付勢されている。
本実施の形態では、図６に示すように、揺動部材８０の外周部に凹部８００２が設けられ、この凹部８００２の底面にロックボタン８００４が押圧操作可能に設けられている。そして、揺動部材８０が第１の揺動位置に位置した状態でロックボタン８００４を押すことで第１の揺動位置から第２の揺動位置に揺動できるように構成されている。
【００１７】
本実施の形態では、図４に示すように、動画撮影用操作部材４０は、ケース１２の前面を前方に向け、右手の手のひらと、親指を除く右手の指でケースの右側部を掴んだ状態で、右手の親指で操作できる範囲内で電源用操作部材３２の下方のケース１２の箇所に設けられている。
動画撮影用操作部材４０は、押圧用のボタンで構成され、動画撮影用操作部材４０を押圧操作する毎に、動画データのディスク状記録媒体２またはメモリカード４への記録のスタートとストップがなされる。
【００１８】
上述のように、電源用操作部材３２と、静止画撮影用操作部材３４と、ズーム用操作部材３６とを配置すると、次のような利点を有することになる。
ケース１２の前面を前方に向け、右手の手のひらと、親指を除く右手の指でケース１２の右側部を掴んだ状態で、ケース１２の上面の後部の右側部で右手の人差し指で操作できる範囲の箇所に、電源用操作部材３２と、静止画撮影用操作部材３４と、ズーム用操作部材３６が前後方向に直線状に並べられて配置されているので、ケース１２を掴んだ状態で、これら３つの操作部材の全てを右手の人差し指で円滑にかつ容易に操作することができ、操作性の向上を図る上で有利となる。
【００１９】
次に、グリップベルト２８について詳細に説明する。
図８はグリップベルト２８とケース１２との取着部分の斜視図、図９はグリップベルト２８と開閉蓋２７との取着部分の斜視図である。
図２乃至図５に示すように、グリップベルト２８は、開閉蓋２７の外側方で前後方向に延在するベルト本体２８０２と、ベルト本体２８０２の中間箇所を覆う甲当てパッド２８０４とを有している。
ベルト本体２８０２は可撓可能であり、例えば、合成樹脂製の繊維が帯状に編まれて形成されている。
甲当てパッド２８０４は、例えば、布や合成皮革などの柔軟性を有する材料で形成され、手の甲に当たるようにベルト本体２８０２よりも大きな寸法の幅で形成されている。
ベルト本体２８０２の中間箇所に甲当てパッド２８０４が設けられることで、ベルト本体２８０２と開閉蓋２７の外面との間に右手のひらが挿入された際に、甲当てパッド２８０４の部分が右手の甲に当接し、右手のひらと、ケース１２の右側部および開閉蓋２７の外面とのフィット感が確保されるように構成されている。
【００２０】
図２、図３、図４に示すように、グリップベルト２８の前後方向の一端はケース１２の前後方向の端部に取着され、他端はケース１２の前後方向の端部とは前後方向において反対の方向に位置する開閉蓋２７の前後方向の端部に取着されている。
本実施の形態では、図１、図２、図８に示すように、ベルト本体２８０２の前端２８１０は開閉蓋２７の下部前端に取着されている。
すなわち、開閉蓋２７の下部前端に位置する前方を向いた壁部２６１０には、ベルト本体２８０２の前端２８１０を挿通可能な開口２６１２が形成され、開口２６１２の内部に挿入されたベルト本体２８０２の前端２８１０の孔２８１２に開閉蓋２７の内面から突設された係合突起２６１４が係合することで、ベルト本体２８０２の前端２８１０が開閉蓋２７の下部前端に取着されている。
なお、本実施の形態では、図１、図８に示すように、上記の壁部２６１０が位置する開閉蓋２７の下部前端は、前後方向においてケース１２の前面の上下方向中央部よりも後方に変位した箇所に設けられている。
【００２１】
また、図４、図５、図９に示すように、グリップベルト２８の後端２８２０はケース１２の下部後端に取着されている。
すなわち、ケース１２は後方を向いた後面１２２０を有し、後面１２２０の下部で右側部寄りに位置する壁部２８２０にベルト本体２８０２の後端２８２０が挿通される開口１２２２が形成され、開口１２２２内に挿入されたベルト本体２８０２の後端２８２０が後面１２２０の内面に設けられた係合軸部１２２４に掛止されることで、ベルト本体２８０２の後端２８２０がケース１２の下部後端の内部に取着され、グリップベルト２８の後端２８２０寄り部分は開口１２２２を通り後面１２２０から後方に突出している。
なお、ベルト本体２８０２が開口２６１２、１２２２に近接する箇所にはそれぞれ金具２８３０が取着されており、それら金具２８３０の間でベルト本体２８０２の長さ調整が行われるように構成されている。
【００２２】
上述のようにグリップベル２８を構成すると、次のような利点が奏される。
開閉蓋２７は下端のヒンジ２６５０（図５参照）を支点として揺動可能に設けられ、グリップベルト２８の前端２８１０は開閉蓋２７の前端に取着され、後端２８２０はケース１２の後端に取着されているので、開閉蓋２７を開放した場合、あるいは、閉塞した場合の何れの場合にも、グリップベルト２８の前端２８１０は開閉蓋２７の前端２８２０と共に移動する。
したがって、グリップベルト２８が開閉蓋２７の開閉動作を妨げることがないため、従来と異なって、グリップベルト２８を開閉蓋２７の移動軌跡から外す必要がなく、ディスク状記録媒体２の装着部２６への交換操作を容易かつ円滑に行うことができ操作性を向上させる上で有利となる。
特に、グリップベルト２８の前端２８１０は開閉蓋２７の下部前端に取着され、後端２８２０はケース１２の下部後端に取着されているので、操作性を向上させる上でより一層有利となる。
また、開閉蓋２７を開閉する際、グリップベルト２８の前端２８１０が開閉蓋２７の前端と共に移動することから、グリップベルト２８と開閉蓋２７の外面との間に右手を挿入したままであっても開閉蓋２７の開閉動作を行うことができる。
したがって、撮像装置１０を机の上などに載置せず、グリップベルト２８と開閉蓋２７の外面との間に右手を挿入して右手で撮像装置１０を保持したままで、左手でディスク状記録媒体２の交換を行うことが可能となり、ディスク状記録媒体２の交換操作が簡単かつ迅速に行え、チャンスを逃さず撮影を行う上で有利となる。
【００２３】
また、前後方向においてケース１２の前面の上下方向の中央部よりも後方に変位した箇所に設けられている開閉蓋２７の下部前端にグリップベルト２８の前端２８１０が取着されているため、開閉蓋２７の下部前端に金具２８３０が位置していても前後方向においてスペースを占有せず、撮像装置１０のコンパクト化を図る上で有利となる。
また、グリップベルト２８の前端２８１０が開閉蓋２７の支点に近い開閉蓋２７の下部前端に取着されているため、グリップベルト２８と開閉蓋２７の外面との間に右手を挿入した際に、グリップベルト２８の前端２８１０から開閉蓋２７に作用する力が前記支点に近い箇所に掛かり、したがって、開閉蓋２７を薄肉化し、撮像装置１０をコンパクト化する上で有利となる。
【００２４】
また、グリップベルト２８と開閉蓋２７の外面との間に挿入した右手の幅が大きく、右手の後方寄りの部分が後面１２２０よりも後方にはみ出すような場合であっても、グリップベルト２８の後端２８２０寄り部分が後面１２２０から後方に突出しているので、グリップベルト２８の後端２８２０寄り部分を、後面１２２０から後方にはみ出した右手部分に密着して延在させることができ、グリップベルト２８およびケース１２と右手のフィット感を確保する上で有利となる。すなわち、グリップベルト２８の後端２８２０がケース１２の後面１２２０ではなく、ケース１２の右側面の後部寄り箇所に取着されていてもよいが、その際には、右手の後方寄りの部分が後面１２２０よりも後方にはみ出すような場合に、グリップベルト２８の後端２８２０がいったん右側方に突出してから後方に屈曲されるため、グリップベルト２８およびケース１２と右手のフィット感を得る上で不利があるが、本実施の形態ではそのような不具合を解消できる点で有利となる。
【００２５】
なお、本実施の形態では、グリップベルト２８の前端２８１０が開閉蓋２７の前端に取着され、グリップベルト２８の後端２８２０がケース１２の後端に取着されている場合について説明したが、グリップベルト２８の前端２８１０がケース１２の前端に取着され、グリップベルト２８の後端２８２０が開閉蓋２７の後端に取着されていてもよいことは無論である。
また、本実施の形態では、グリップベルト２８の前端２８１０が開閉蓋２７の下部前端に取着され、グリップベルト２８の後端２８２０がケース１２の下部後端に取着されている場合について説明したが、グリップベルト２８の前端２８１０と後端２８２０の取着される位置は、ケース１２の形状や大きさに応じて適宜変更可能であることは無論である。
また、本実施の形態では、開閉蓋２７が下端を支点としてその上端がケース１２の外側方に揺動可能に設けられている場合について説明したが、開閉蓋２７が後端を支点としてその前端がケース１２の外側方に揺動可能に設けられている場合には、グリップベルト２８の前端２８１０を開閉蓋２７の前端に取着し、グリップベルト２８１０の後端２８２０をケース１２の後端に取着するようにすれば、前記実施の形態と同様な効果が奏される。
【００２６】
次に、ロック機構８６について説明する。
図１２は開閉蓋２７の内面側を示す平面図、図１３はロック機構８６のロック状態を示す斜視図、図１４はロック機構８６の中間状態を示す斜視図、図１５はロック機構８６の非ロック状態を示す斜視図、図１６はロック機構８６のロック状態を示す説明図、図１７はロック機構８６の中間状態を示す説明図、図１８はロック機構８６の非ロック状態を示す説明図である。
ロック機構８６は、図１３、図１６に示すように、開閉蓋２７を閉塞位置に保持するロック状態と、図１５、図１８に示すように、開閉蓋２７の閉塞位置から開放位置への揺動を可能とする非ロック状態とにするものである。
【００２７】
図７に示すように、開閉蓋２７はディスク状記録媒体２よりも大きな輪郭を有し、開閉蓋２７の内面に該開閉蓋２７の中央部を通り該開閉蓋２７の互いに対向する外周部に延在するアーム８８が設けられ、アーム８８の延在方向の両端に、開閉蓋２７の揺動軸心Ｏ１から離れた収容部２６の２箇所に係脱可能に結合してロック状態を形成する２つのロック爪がそれぞれ設けられ、ロック機構８６は、アーム８８およびそれら２つのロック爪を含んで構成されている。
アーム８８は、開閉蓋２７の内面に沿って延在するように設けられ、アーム８８は、開閉蓋２７を閉塞位置に保持するロック状態で、収容部２６に収容されたディスク状記録媒体２の直径方向に延在している。
また、アーム８８は、開閉蓋２７を閉塞位置に保持するロック状態で、揺動軸心Ｏ１と共に前後方向に延在している。
そして、図１３に示すように、ロック機構８６をロック状態と非ロック状態とに動作させるアクチュエータ９０が設けられている。
【００２８】
より詳細に説明すると、図１２、図１３に示すように、アーム８８の中間部は、開閉蓋２７の内面中央の軸２７０２により揺動可能に支持され、アーム８８の長手方向の一端が第１ロック爪８８０２として形成され、アーム８８の長手方向の他端が第２ロック爪８８０４として形成されている。
第１ロック爪８８０２は、アーム８８の長手方向の一端が開閉蓋２７の内面から離れる方向に屈曲して設けられている。
図１２に示すように、アーム８８の第１ロック爪８８０２寄りの箇所に、この第１ロック爪８８０２寄りの箇所を挟むように、第１ロック爪８８０２を付勢するスプリング８８１０と第１ストッパ８８１２が設けられ、アーム８８の第２ロック爪８８０４寄りの箇所に、スプリング８８１０の弾性力によるアーム８８の揺動を規制する第２ストッパ８８１４が設けられている。
【００２９】
一方、アクチュエータ９０は、図１３に示すように、収容部２６に近接するケース１２の内面に設けられ、アクチュエータ９０は、本実施の形態では、例えば、モータと減速機構で構成され、コントロール回路５８からモータへの電流の供給により、図１６乃至図１８に示すように、移動用突起９００２を突出、没入させ往復直線移動させるように構成され、このアクチュエータ９０の作動は上述の開閉蓋用操作部材８２の操作により行われる。なお、アクチュエータ９０としてソレノイドやプランジャなど、従来公知の様々なものが採用可能である。
また、アクチュエータ９０に隣接してケース１２の内面にガイド板９２が設けられている。
図１３、図１６に示すように、ガイド板９２には、軸９２０２と長溝９２０４との係合を介してスライド部材９４が往復直線移動可能に支持され、スライド部材９４は移動用突起９００２に結合されている。
スライド部材９４には、第１ロック爪８８０２に係合可能な第１突起９４０２が設けられ、また、後述する揺動片９６に係合可能な第２突起９４０４が設けられている。なお、第１突起９４０２が特許請求の範囲の係止部に相当している。
なお、第２ロック爪８８０４は、収容部２６の壁面に設けられた突起２６２０に係脱可能に係合される。
【００３０】
さらに、ガイド板９２には、スライド部材９４に加え、揺動片９６が設けられている。
揺動片９６は、その長手方向の中間部が軸９２１０により揺動可能に支持され、この軸９２１０はスライド部材９４の長溝９４１０を通ってガイド板９２で支持されており、揺動片９６の長手方向の一端は第１係合部９６０２とされ、揺動片９６の長手方向の他端は第２係合部９６０４とされている。
揺動片９６とスライド部材９４との間にスプリング９６１０が設けられ、揺動片９６はスプリング９６１０の弾性力により軸９２１０を支点として揺動する方向に付勢されている。
【００３１】
次に動作について説明する。
説明の便宜上、開閉蓋２７が閉じてロック状態にあり、この状態からディスク状記録媒体２を装脱する場合について説明する。
図１６に示すように、開閉蓋２７が閉じてロック状態にある場合は、アクチュエータ９０には通電されておらず、スライド部材９４はスプリング９６１０によりヒンジ２６５０方向に付勢される。
これによりアーム８８は第１ロック爪８８０２がヒンジ２６５０に近づく回転方向に付勢され、図１２に想像線で示すように第１ロック爪８８０２寄り部分が第１ストッパ８８１２に当接した状態に保持されている。
さらに、図１３、図１６に示すように、スライド部材９４に設けられた第１突起９４０２がアーム８８の第１ロック爪８８０２に係合し、アーム８８の第２ロック爪８８０４が突起２６２０（特許請求の範囲の係止壁に相当）に係合し、開閉蓋２７が収容部２６から離れる方向への揺動が阻止され、開閉蓋２７は閉塞状態に保持されている。このアーム８８の揺動状態を第１の揺動状態という。
【００３２】
ここで、開閉蓋用操作部材８２の操作によりアクチュエータ９０を駆動すると、移動用突起９００２が突出することにより、図１４、図１７に示すように、スライド部材９４がヒンジ２６５０から離れる方向に移動する。
図１２に示すように、アーム８８はスプリング８８１０により第１ロック爪８８０２がヒンジ２６５０から離れる方向に付勢されているので、スライド部材９４の移動に第１ロック爪８８０２寄り部分が追従して移動し、やがて、第２ロック爪８８０４寄り部分が第２ストッパ８８１４に当接し、図１２に実線で示す揺動位置となる。このアーム８８の揺動状態を第２の揺動状態という。
この第２の揺動状態で、図１４、図１７に示すように、第２ロック爪８８０４は突起２６２０から離れ、かつ、第１突起９４０２が第１ロック爪８８０２に係止し、ロック機構８６はロック状態と非ロック状態の中間状態となる。
【００３３】
さらに、スライド部材９４がヒンジ２６５０から離れる方向に移動すると、図１５、図１８に示すように、第１ロック爪８８０２から第１突起９４０２が離れる。
すなわち、アーム８８は第２の揺動状態に維持されたまま、第２ロック爪８８０４が突起２６２０から離れ、第１ロック爪８８０２が第１突起９４０２から離れ、非ロック状態が形成される。
そして、第１ロック爪８８０２から第１突起９４０２が離れると、揺動片９６がスプリング９６１０により付勢されていることから、揺動片９６の第１係合部９６０２により第１ロック爪８８０２は、収容部２６から離れる方向に押し出され、開閉蓋２７は所定の開度に開かれる。
なお、スライド部材９４の第２突起９４０４が揺動片９６の第２係合部９６０４に係合することで、スライド部材９４のヒンジ２６５０方向への動きが阻止される。
なお、電流がアクチュエータ９０に供給され移動用突起９００２が突出された後は、アクチュエータ９０に対する電流の供給が停止されるが、図１８に示すように、スライド部材９４の第２突起９４０４が揺動片９６の第２係合部９６０４に係合することで移動用突起９００２は突出状態に保持されている。
開閉蓋２７が所定の開度開いたならば、ユーザーは開閉蓋２７を開放位置に開き、ディスク状記録媒体２の装脱を行う。
【００３４】
ディスク状記録媒体２の装脱後、開閉蓋２７を閉じると、第１ロック爪８８０２が揺動片９６の第１係合部９６０２に係合して揺動片９６を揺動させ、スライド部材９４の第２突起９４０４と揺動片９６の第２係合部９６０４との係合を解除させる。
これにより、スライド部材９４がスプリング９６１０の付勢力によりヒンジ２６５０方向に移動し、図１４、図１７に示すように、スライド部材９４の第１突起９４０２がアーム８８の第１ロック爪８８０２に係合し、アーム８８は第２の揺動状態に維持されたままロック機構８６は前記中間状態となる。
そして、スライド部材９４がスプリング９６１０の付勢力によりさらにヒンジ２６５０方向に移動することにより、図１２に二点鎖線で示すように、アーム８８はその第１ロック爪８８０２寄り部分が第１ストッパ８８１２に当たるまで揺動され、アーム８８は第１の揺動状態となる。そして、図１３、図１６に示すように、アーム８８の第２ロック爪８８０４が突起２６２０に係合し、第１突起９４０２と第１ロック爪８８０２との係合および第２ロック爪８８０４と突起２６２０との係合によりロック状態が形成され、開閉蓋２７が収容部２６から離れる方向への揺動が阻止され、開閉蓋２７は閉塞状態に保持される。
なお、スライド部材９４がスプリング９６１０の付勢力によりヒンジ２６５０方向に移動することで、図１６に示すように、電流供給がなされていないアクチュエータ９０の移動用突起９００２は没入状態となる。
【００３５】
上述のようにロック機構８６を構成すると、次のような利点が奏される。
単一のアーム８８を用いることで開閉蓋２７の２箇所をロックでき、したがって、小型化、軽量化を図りつつ開閉蓋２７を確実に閉塞でき、開閉蓋２７やケース１２の薄肉化を図る上でも有利となる。
また、アーム８８により開閉蓋２７の２箇所をロックすることで開閉蓋２７の閉塞位置のロック状態を強固とし、グリップベルト２８から受ける力に十分に対応できるので、実施の形態のようにグリップベルト２８の一端を開閉蓋２７に取着することも可能となり、ディスク状記録媒体２の装着部２６への交換操作を容易かつ円滑に行うことができ操作性を向上させる上で有利となる。
また、アーム８８は開閉蓋２７の内面に沿って延在し開閉蓋２７の内面のデッドスペースに配設されるので、アーム８８を配設するためのスペースは最小で済み、小型化を図る上で有利となる。
また、アーム８８は、開閉蓋２７を閉塞位置に保持するロック状態で、収容部２６に収容されたディスク状記録媒体２の直径方向に延在し、しかも、ヒンジ２６５０の揺動軸心Ｏ１と平行する前後方向に延在しているので、開閉蓋２７の閉塞状態を確実に保持する上で有利となる。
【００３６】
また、ロック機構８６のロック状態と非ロック状態を形成するアクチュエータ９０を、開閉蓋２７ではなく収容部２６（ケース１２）に設けている。そのため、アクチュエータ９０を開閉蓋２７に設ける場合に比べ、開閉蓋２７を複雑化することなく薄型化、コンパクト化する上で有利である。
また、ロック機構８６によるロック状態と非ロック状態との間に、第２ロック爪８８０４が突起２６２０から離れ、かつ、第１突起９４０２が第１ロック爪８８０２に係止する中間状態が形成され、ロック状態および非ロック状態が段階的に形成されるようにしている。そのため、ロック状態と非ロック状態を簡単にかつ確実に形成でき、ディスク状記録媒体２の装脱の操作を円滑に行う上で有利となる。
【００３７】
なお、実施の形態では、アクチュエータ９０によりロック機構８６を駆動させる場合について説明したが、アクチュエータ９０を用いずに操作ボタンやリンク機構などを用いることでロック機構８６を駆動させるようにしてもよい。
また、実施の形態では、ロック機構８６がガイド板９２やスライド部材９４、揺動片９６などを含んで構成されている場合について説明したが、アーム８８を揺動させ第１ロック爪８８０２および第２ロック爪８８０４を収容部２６に係脱させる機構には従来公知の様々な構造が採用可能であり、実施の形態の構造に限定されない。すなわち、本出願人は、ガイド板、スライド部材、揺動片、ロック爪を備え、ロック爪とスライド部材の係合部とが係脱することで開閉蓋のロック状態と非ロック状態を形成するロック機構を有する撮像装置（特開２００５−１８２８７７号公報）を既に提案しているが、例えば、このロック機構におけるガイド板、スライド部材、揺動片と同様の構造を本発明のロック機構８６に採用することも可能である。
【００３８】
次に、メモリカード用収容部１０２について説明する。
図１９は蓋体１００とメモリカード収容部１０２の斜視図、図２０は蓋体１００が閉塞位置にある状態を示す断面図、図２１は蓋体１００が開放位置にある状態を示す断面図である。
図１９乃至図２１に示すように、開閉蓋２７が外部に臨む外面の一部に、本実施の形態では、開閉蓋２７の後部に欠部２７２０が形成されている。
開閉蓋２７は、外側に凸の湾曲面で形成され外部に臨む外板２７Ｂと、外板２７Ｂの内側で収容部２６に臨む平坦な面で形成された内板２７Ａとを有し、欠部２７２０は外板２７Ｂの後部に上下に縦長に形成されている。
欠部２７２０を閉塞する蓋体１００が設けられている。
蓋体１００は、図２０に示す欠部２７２０を閉塞した閉塞位置と、図２１に示す欠部２７２０を開放した開放位置との間で揺動可能に開閉蓋２７に取着されている。
蓋体１００の閉塞位置で、蓋体１００が外部に臨む外面は、外部に臨む外板２７Ｂの外面と連続状に延在するように設けられている。
蓋体１００は支軸２７３０により揺動可能に支持され支軸２７３０を支点として閉塞位置と開放位置との間で揺動する。
すなわち、支軸２７３０は開閉蓋２７の支軸と共用されており、支軸２７３０はケース１２の下端に位置して前後方向に延在している。
【００３９】
図１９に示すように、蓋体１００の内面に、蓋体１００の開放位置でメモリカード４の装脱が行われるメモリカード用収容部１１０が設けられている。
図１９、図２０に示すように、メモリカード用収容部１１０は、蓋体１００の内面との間でメモリカード４をその厚さ方向で挟む支持壁１１２と、支持壁１１２の両側と蓋体１００の間を接続する左右の側壁１１４と、それら蓋体１００の内面、支持壁１１２、左右の側壁１１４で画成された収容空間１１５と、収容空間１１５にメモリカード４が挿入されることでメモリカード４の先端の接片と電気的に接続するカードコネクタ１１６と、メモリカード４の保持機構とを含んで構成されている。
したがって、図２０に示すように、メモリカード用収容部１０２は、蓋体１００の閉塞位置で蓋体１００と内板２７Ａとの間に位置しており、図２１に示すように、蓋体１００を開放位置にすると、欠部２７２０の奥部に内板２７Ａが露出することになる。
前記保持機構は、図２１に実線で示すように、メモリカード４がカードコネクタ１１６に挿入されたときにメモリカード４を保持し、また、図２１に二点鎖線で示すように、コネクタ１１６に挿入されているメモリカード４が再度挿入方向に押圧されると、メモリカード４を挿入方向と反対側に押し出してメモリカード４の後端をメモリカード用収容部１１０から外方に突出させるように構成されており、いわゆる従来公知のプッシュプッシュ機構と呼ばれているものである。なお、前記保持機構はプッシュプッシュ機構に限定されるものではなく、従来公知の様々な構造を採用可能である。
また、メモリカード用収容部１１０に収容されたメモリカード４に対するデータの記録および／または再生は、記録再生回路５６とインターフェース回路６４によってカードコネクタ１１６を介して行なわれる。
【００４０】
図１９乃至図２１に示すように、蓋体１００の閉塞位置で、蓋体１００の上縁１０２に臨む開閉蓋２７の外板２７Ｂの箇所に、蓋体１００の上縁１０２に当接する縁部２７２４が形成されている。
また、縁部２７２４の上部に臨む開閉蓋２７の外板２７Ｂの箇所には、内側に窪む凹部２７２２が形成され、凹部２７２２を介して閉塞位置にある蓋体１００の上縁１０２に指を掛けることで蓋体１００を閉塞位置から開放位置に容易に揺動させることができるようにしている。
また、図１９に示すように、左右の側壁１１４が外方に臨む箇所には係合凹部１１４Ａがそれぞれ形成され、それら係合凹部１１４Ａに臨む開閉蓋２７の外板２７Ｂの箇所に係合凸部（不図示）がそれぞれ形成されている。係合凹部１１４Ａと係合凸部が係合することで蓋体１００の閉塞位置が保持され、係合凹部１１４Ａと前記係合凸部の係合が解除されることで蓋体１００が開放位置に揺動可能となる。
なお、不図示のストッパが開閉蓋２７の外板２７Ｂに設けられそのストッパが蓋体１００に当接することで蓋体１００の開放位置が位置決めされるように構成されている。
【００４１】
本実施の形態によれば、開閉蓋２７に開閉可能に蓋体１００を設け、メモリカード用収容部１１０をこの蓋体１００の内面に設けるようにした。ここで、開閉蓋２７は撮像装置１０を把持しやすいように外側に凸の丸みを帯びて形成されており、開閉蓋２７のこの丸みの厚さに対応する空間はデッドスペースとなっている。したがって、このデッドスペースを利用することでメモリカード用収容部１１０を設けることができ、撮像装置１０の小型化を図る上で有利となる。
また、従来のようにケース１２の後面ではなく、ケース１２の側面をなす開閉蓋２７にメモリカード用収容部１１０が設けられ、開閉蓋２７の外面には何ら操作部材が配置されていない。したがって、メモリカード用収容部１１０に対するメモリカード４の装脱操作を簡単に行なう上で有利となり、同時に、ケース１２の後面が煩雑化されないため、ケース１２の後面に配置される他の操作部材を操作する上でも有利となる。
また、本実施の形態では、蓋体１００の支軸２７３０が開閉蓋２７の支軸と共用されているため、部品点数を削減でき、撮像装置１０の小型化を図る上でより有利となり、コストを削減する上でも有利となる。
なお、本実施の形態では、電子機器が撮像装置である場合について説明したが、本発明は撮像装置に限定されるものではなく、ディスク状記録媒体を装脱して用いる電子機器、例えば、携帯型のＣＤプレーヤーやＤＶＤプレーヤー、あるいは、ＣＤドライブ装置やＤＶＤドライブ装置などに広く適用されるものである。
【図面の簡単な説明】
【００４２】
【図１】第１の実施の形態の撮像装置１０の構成を示す斜視図である。
【図２】第１の実施の形態の撮像装置１０の構成を示す斜視図である。
【図３】第１の実施の形態の撮像装置１０の構成を示す斜視図である。
【図４】第１の実施の形態の撮像装置１０の構成を示す斜視図である。
【図５】第１の実施の形態の撮像装置１０の構成を示す斜視図である。
【図６】第１の実施の形態の撮像装置１０の構成を示す斜視図である。
【図７】撮像装置１０の右側面図である。
【図８】グリップベルト２８とケース１２との取着部分の斜視図である。
【図９】グリップベルト２８と開閉蓋２７との取着部分の斜視図である。
【図１０】撮像装置１０の制御系の構成を示すブロック図である。
【図１１】撮像装置１０の断面図である。
【図１２】開閉蓋２７の内面側を示す平面図である。
【図１３】ロック機構８６のロック状態を示す斜視図である。
【図１４】ロック機構８６の中間状態を示す斜視図である。
【図１５】ロック機構８６の非ロック状態を示す斜視図である。
【図１６】ロック機構８６のロック状態を示す説明図である。
【図１７】ロック機構８６の中間状態を示す説明図である。
【図１８】ロック機構８６の非ロック状態を示す説明図である。
【図１９】蓋体１００とメモリカード収容部１０２の斜視図である。
【図２０】蓋体１００が閉塞位置にある状態を示す断面図である。
【図２１】蓋体１００が開放位置にある状態を示す断面図である。
【符号の説明】
【００４３】
２……ディスク状記録媒体、４……メモリカード、１０……撮像装置、１２……ケース、１４……撮影光学系、１８……撮像素子、２６……収容部、２７……開閉蓋、２７２０……欠部、５６……記録再生回路、６４……インターフェース回路、１００……蓋体、１１０……メモリカード用収容部。
【図１】
2007158753.tif 000003
【図２】
2007158753.tif 000004
【図３】
2007158753.tif 000005
【図４】
2007158753.tif 000006
【図５】
2007158753.tif 000007
【図６】
2007158753.tif 000008
【図７】
2007158753.tif 000009
【図８】
2007158753.tif 000010
【図９】
2007158753.tif 000011
【図１０】
2007158753.tif 000012
【図１１】
2007158753.tif 000013
【図１２】
2007158753.tif 000014
【図１３】
2007158753.tif 000015
【図１４】
2007158753.tif 000016
【図１５】
2007158753.tif 000017
【図１６】
2007158753.tif 000018
【図１７】
2007158753.tif 000019
【図１８】
2007158753.tif 000020
【図１９】
2007158753.tif 000021
【図２０】
2007158753.tif 000022
【図２１】
2007158753.tif 000023